(57)【要約】【課題】着側端末装置において、呼制御信号に設定されたデータから表示名を好適に表示することが可能な表示名変換システムを提供する。【解決手段】表示名変換システム１は、発側端末装置１０Ａから送信された呼制御信号を受信して着側端末装置１０Ｂ，１０Ｃへ送信するゲートウェイ装置３０と、発信網、着信網、及び、呼制御信号に含まれる複数のフィールドに設定されたデータを変換するための第一の変換ポリシが関連付けられた変換ポリシデータベース４１ｂが記憶された記憶部４１と、を備え、ゲートウェイ装置３０の制御部３２は、呼制御信号の発信網及び着信網に基づいて変換ポリシデータベース４１ｂを参照して呼制御信号に該当する変換ポリシを読み出し、変換ポリシに基づいて呼制御信号の複数のフィールドに設定されたデータを変換し、データが変換された呼制御信号を着側端末装置２０Ｂ，２０Ｃへ送信する。【選択図】図２
2016152496.tif 000002
【特許請求の範囲】
【請求項１】
中継網に設けられており、発側端末装置から送信された呼制御信号を発信網を介して受信し、受信した前記呼制御信号を着信網を介して着側端末装置へ送信するゲートウェイ装置と、
前記発信網と、前記着信網と、前記呼制御信号に含まれる複数のフィールドに設定されたデータを変換するための第一の変換ポリシと、が関連付けられた第一のデータベースが記憶された第一の記憶部と、
を備え、
前記第一の変換ポリシは、前記複数のフィールドのうち、前記発信網において表示名として用いられる前記フィールドに設定されているデータを、前記着信網において表示名として用いられる前記フィールドに設定するように定められており、
前記ゲートウェイ装置の第一の制御部は、受信した前記呼制御信号の前記発信網及び前記着信網に基づいて前記第一のデータベースを参照することによって、受信した前記呼制御信号に該当する前記第一の変換ポリシを読み出すとともに、読み出された前記第一の変換ポリシに基づいて前記呼制御信号の前記複数のフィールドに設定されたデータを変換し、データが変換された前記呼制御信号を前記着信網へ送信する
ことを特徴とする表示名変換システム。
【請求項２】
前記第一の記憶部と、第二の制御部と、を備えるポリシ管理装置を備え、
前記ゲートウェイ装置の前記第一の制御部は、受信した前記呼制御信号の前記発信網及び前記着信網を前記ポリシ管理装置の前記第二の制御部へ通知し、
前記ポリシ管理装置の前記第二の制御部は、通知された前記発信網及び前記着信網に基づいて前記第一のデータベースを参照することによって、通知された前記発信網及び前記着信網に該当する前記第一の変換ポリシを読み出し、読み出された前記第一の変換ポリシを前記ゲートウェイ装置の前記第一の制御部へ通知し、
前記ゲートウェイ装置の前記第一の制御部は、通知された前記第一の変換ポリシに基づいて前記呼制御信号の前記複数のフィールドに設定されたデータを変換し、データが変換された前記呼制御信号を前記着信網へ送信する
ことを特徴とする請求項１に記載の表示名変換システム。
【請求項３】
前記着信網に設けられており、前記ゲートウェイ装置から送信された前記呼制御信号を受信し、受信した前記呼制御信号を前記着側端末装置へ送信するサーバ装置を備え、
前記サーバ装置は、
前記呼制御信号によって指定された前記着側端末装置と、前記呼制御信号に含まれる複数のフィールドに設定されたデータを変換するための第二の変換ポリシと、が関連付けられた第二のデータベースが記憶された第二の記憶部と、
第三の制御部と、
を備え、
前記第二の変換ポリシは、前記複数のフィールドのうち、前記着信網において表示名として用いられる前記フィールドに設定されているデータを、前記着側端末装置において表示名として用いられる前記フィールドに設定するように定められており、
前記第三の制御部は、受信した前記呼制御信号に対応する前記着側端末装置に基づいて前記第二の変換ポリシを参照することによって、受信した前記呼制御信号に該当する前記第二の変換ポリシを読み出すとともに、読み出された前記第一の変換ポリシに基づいて前記呼制御信号の前記複数のフィールドに設定されたデータを変換し、データが変換された前記呼制御信号を前記着信端末へ送信する
ことを特徴とする請求項１又は請求項２に記載の表示名変換システム。
【請求項４】
中継網に設けられており、発側端末装置から送信された呼制御信号を発信網を介して受信し、受信した前記呼制御信号を着信網を介して着側端末装置へ送信するゲートウェイ装置と、
前記発信網と、前記着信網と、前記呼制御信号に含まれる複数のフィールドに設定されたデータを変換するための第一の変換ポリシと、が関連付けられた第一のデータベースが記憶された第一の記憶部と、
を備える表示名変換システムにおいて、前記呼制御信号の表示名を変換する表示名変換方法であって、
前記第一の変換ポリシは、前記複数のフィールドのうち、前記発信網において表示名として用いられる前記フィールドに設定されているデータを、前記着信網において表示名として用いられる前記フィールドに設定するように定められており、
前記ゲートウェイ装置の第一の制御部が、発側端末装置から送信された呼制御信号を発信網を介して受信するステップと、
前記ゲートウェイ装置の前記第一の制御部が、受信した前記呼制御信号の前記発信網及び前記着信網に基づいて前記第一のデータベースを参照することによって、受信した前記呼制御信号に該当する前記第一の変換ポリシを読み出すとともに、読み出された前記第一の変換ポリシに基づいて前記呼制御信号の前記複数のフィールドに設定されたデータを変換するステップと、
前記ゲートウェイ装置の前記第一の制御部が、データが変換された前記呼制御信号を前記着信網へ送信するステップと、
を含むことを特徴とする表示名変換方法。
【請求項５】
前記表示名変換システムは、前記第一の記憶部と、第二の制御部と、を備えるポリシ管理装置を備えており、
前記呼制御信号の前記複数のフィールドに設定されたデータを変換するステップは、
前記ゲートウェイ装置の前記第一の制御部が、受信した前記呼制御信号の前記発信網及び前記着信網を前記ポリシ管理装置の前記第二の制御部へ通知するステップと、
前記ポリシ管理装置の前記第二の制御部が、通知された前記発信網及び前記着信網に基づいて前記第一のデータベースを参照することによって、通知された前記発信網及び前記着信網に該当する前記第一の変換ポリシを読み出し、読み出された前記第一の変換ポリシを前記ゲートウェイ装置の前記第一の制御部へ通知するステップと、
前記ゲートウェイ装置の前記第一の制御部が、通知された前記第一の変換ポリシに基づいて前記呼制御信号の前記複数のフィールドに設定されたデータを変換するステップと、
を含むことを特徴とする請求項４に記載の表示名変換方法。
【請求項６】
前記表示名変換システムは、前記着信網に設けられ、前記ゲートウェイ装置から送信された前記呼制御信号を受信し、受信した前記呼制御信号を前記着側端末装置へ送信するサーバ装置を備えており、
前記サーバ装置は、
前記呼制御信号によって指定された前記着側端末装置と、前記呼制御信号に含まれる複数のフィールドに設定されたデータを変換するための第二の変換ポリシと、が関連付けられた第二のデータベースが記憶された第二の記憶部と、
第三の制御部と、
を備えており、
前記第二の変換ポリシは、前記複数のフィールドのうち、前記着信網において表示名として用いられる前記フィールドに設定されているデータを、前記着側端末装置において表示名として用いられる前記フィールドに設定するように定められており、
前記第三の制御部が、受信した前記呼制御信号に対応する前記着側端末装置に基づいて前記第二の変換ポリシを参照することによって、受信した前記呼制御信号に該当する前記第二の変換ポリシを読み出すとともに、読み出された前記第一の変換ポリシに基づいて前記呼制御信号の前記複数のフィールドに設定されたデータを変換するステップと、
前記第三の制御部が、データが変換された前記呼制御信号を前記着信端末へ送信するステップと、
を含むことを特徴とする請求項４又は請求項５に記載の表示名変換方法。
【発明の詳細な説明】
【技術分野】
【０００１】
本発明は、着側端末装置における表示名を変換する表示名変換システム及び表示名変換方法に関する。
【背景技術】
【０００２】
従来、SIP（Session Initiation Protocol）信号を利用したマルチメディア（音声、動画等）通信では、発側端末装置が設定する発信者ID（Identifier）として、Fromヘッダが規定されている。発信者IDは、SIP信号のFromヘッダに自由に設定可能である（非特許文献１参照）。
【０００３】
また、通信事業者によって管理されたネットワークであるIMS（Internet protocol Multimedia Subsystem）では、通信事業者が設定する発信者IDとしてPAI（P-Asserted-Identity）ヘッダが規定されている（非特許文献２参照）。
【０００４】
電話端末装置が着信した場合に、日本国内の電話端末装置では、以下の表示が一般的に行われる。
・固定電話端末装置では、発信者（発側端末装置）の電話番号が表示される。
・その他の電話端末装置では、発信者の電話番号が表示されるか、電話端末装置内の電話帳に発信者の電話番号と関連付けて記憶されたユーザ名等が表示される。
【先行技術文献】
【非特許文献】
【０００５】
【非特許文献１】国際標準 IETF RFC3261
【非特許文献２】国際標準 IETF RFC3325
【発明の概要】
【発明が解決しようとする課題】
【０００６】
SIPでは、発信者IDが設定可能なフィールドとして、２つのヘッダ、すなわち、Fromヘッダと、PAIヘッダと、がある。Fromヘッダは、SIP URI（Universal Resource Identifier）又はtel URIが設定されるフィールドであり、display-nameフールドと、addr-specフィールドと、を含む。PAIヘッダは、SIP URI及びtel URIの少なくとも一方が設定されるフィールドであり、URIごとに、display-nameフールドと、addr-specフィールドと、を含む。すなわち、呼制御信号は、６箇所のフィールドに発信者IDが設定可能である。
【０００７】
日本の国内標準では、信号を受信した際に端末装置において６箇所のフィールドに設定されたデータのどれを表示名として用いるかの優先度が規定されている。これに対し、国際標準では、６箇所のフィールドに設定されたデータのどれを表示名として用いるかは、端末装置の実装に依存すると規定されている。そのため、発側端末装置及び発信網が意図しないデータが、着側端末装置において表示名として表示されるおそれがある。
【０００８】
本発明は、前記の点に鑑みてなされたものであり、着側端末装置において、呼制御信号に設定されたデータから表示名を好適に表示することが可能な表示名変換システム及び表示名変換方法を提供することを課題とする。
【課題を解決するための手段】
【０００９】
前記した課題を解決するために、本発明の表示名変換システムは、中継網に設けられており、発側端末装置から送信された呼制御信号を発信網を介して受信し、受信した前記呼制御信号を着信網を介して着側端末装置へ送信するゲートウェイ装置と、前記発信網と、前記着信網と、前記呼制御信号に含まれる複数のフィールドに設定されたデータを変換するための第一の変換ポリシと、が関連付けられた第一のデータベースが記憶された第一の記憶部と、を備え、前記第一の変換ポリシは、前記複数のフィールドのうち、前記発信網において表示名として用いられる前記フィールドに設定されているデータを、前記着信網において表示名として用いられる前記フィールドに設定するように定められており、前記ゲートウェイ装置の第一の制御部は、受信した前記呼制御信号の前記発信網及び前記着信網に基づいて前記第一のデータベースを参照することによって、受信した前記呼制御信号に該当する前記第一の変換ポリシを読み出すとともに、読み出された前記第一の変換ポリシに基づいて前記呼制御信号の前記複数のフィールドに設定されたデータを変換し、データが変換された前記呼制御信号を前記着信網へ送信することを特徴とする。
【００１０】
かかる構成によると、呼制御信号のフィールドに設定されたデータを発信網及び着信網に応じて変換し、発信網において表示名として用いられるフィールドに設定されたデータを着信網において表示名として用いられるフィールドに設定するので、着側端末装置において発側端末装置及び発信網が希望する表示名を好適に表示させることができる。
【００１１】
前記表示名変換システムは、前記第一の記憶部と、第二の制御部と、を備えるポリシ管理装置を備え、前記ゲートウェイ装置の前記第一の制御部は、受信した前記呼制御信号の前記発信網及び前記着信網を前記ポリシ管理装置の前記第二の制御部へ通知し、前記ポリシ管理装置の前記第二の制御部は、通知された前記発信網及び前記着信網に基づいて前記第一のデータベースを参照することによって、通知された前記発信網及び前記着信網に該当する前記第一の変換ポリシを読み出し、読み出された前記第一の変換ポリシを前記ゲートウェイ装置の前記第一の制御部へ通知し、前記ゲートウェイ装置の前記第一の制御部は、通知された前記第一の変換ポリシに基づいて前記呼制御信号の前記複数のフィールドに設定されたデータを変換し、データが変換された前記呼制御信号を前記着信網へ送信する構成であってもよい。
【００１２】
かかる構成によると、ポリシ管理装置が第一の変換ポリシを一括管理するので、着信網における表示名変換の負担を抑制することができ、全体として、データベースの設置及び管理コストを削減することができる。
【００１３】
前記表示名変換システムは、前記着信網に設けられており、前記ゲートウェイ装置から送信された前記呼制御信号を受信し、受信した前記呼制御信号を前記着側端末装置へ送信するサーバ装置を備え、前記サーバ装置は、前記呼制御信号によって指定された前記着側端末装置と、前記呼制御信号に含まれる複数のフィールドに設定されたデータを変換するための第二の変換ポリシと、が関連付けられた第二のデータベースが記憶された第二の記憶部と、第三の制御部と、を備え、前記第二の変換ポリシは、前記複数のフィールドのうち、前記着信網において表示名として用いられる前記フィールドに設定されているデータを、前記着側端末装置において表示名として用いられる前記フィールドに設定するように定められており、前記第三の制御部は、受信した前記呼制御信号に対応する前記着側端末装置に基づいて前記第二の変換ポリシを参照することによって、受信した前記呼制御信号に該当する前記第二の変換ポリシを読み出すとともに、読み出された前記第一の変換ポリシに基づいて前記呼制御信号の前記複数のフィールドに設定されたデータを変換し、データが変換された前記呼制御信号を前記着信端末へ送信する構成であってもよい。
【００１４】
かかる構成によると、着信網のサーバ装置が第二の変換ポリシに基づいて呼制御信号のフィールドに設定されたデータを変換するので、着側端末装置ごとに表示名の規則が異なる場合であっても、発側端末装置及び発信網が希望する表示名を好適に表示させることができる。
【００１５】
また、本発明の表示名変換方法は、中継網に設けられており、発側端末装置から送信された呼制御信号を発信網を介して受信し、受信した前記呼制御信号を着信網を介して着側端末装置へ送信するゲートウェイ装置と、前記発信網と、前記着信網と、前記呼制御信号に含まれる複数のフィールドに設定されたデータを変換するための第一の変換ポリシと、が関連付けられた第一のデータベースが記憶された第一の記憶部と、を備える表示名変換システムにおいて、前記呼制御信号の表示名を変換する表示名変換方法であって、前記第一の変換ポリシは、前記複数のフィールドのうち、前記発信網において表示名として用いられる前記フィールドに設定されているデータを、前記着信網において表示名として用いられる前記フィールドに設定するように定められており、前記ゲートウェイ装置の第一の制御部が、発側端末装置から送信された呼制御信号を発信網を介して受信するステップと、前記ゲートウェイ装置の前記第一の制御部が、受信した前記呼制御信号の前記発信網及び前記着信網に基づいて前記第一のデータベースを参照することによって、受信した前記呼制御信号に該当する前記第一の変換ポリシを読み出すとともに、読み出された前記第一の変換ポリシに基づいて前記呼制御信号の前記複数のフィールドに設定されたデータを変換するステップと、前記ゲートウェイ装置の前記第一の制御部が、データが変換された前記呼制御信号を前記着信網へ送信するステップと、を含むことを特徴とする。
【００１６】
かかる構成によると、呼制御信号のフィールドに設定されたデータを発信網及び着信網に応じて変換し、発信網において表示名として用いられるフィールドに設定されたデータを着信網において表示名として用いられるフィールドに設定するので、着側端末装置において発側端末装置及び発信網が希望する表示名を好適に表示させることができる。
【００１７】
前記表示名変換システムは、前記第一の記憶部と、第二の制御部と、を備えるポリシ管理装置を備えており、前記呼制御信号の前記複数のフィールドに設定されたデータを変換するステップは、前記ゲートウェイ装置の前記第一の制御部が、受信した前記呼制御信号の前記発信網及び前記着信網を前記ポリシ管理装置の前記第二の制御部へ通知するステップと、前記ポリシ管理装置の前記第二の制御部が、通知された前記発信網及び前記着信網に基づいて前記第一のデータベースを参照することによって、通知された前記発信網及び前記着信網に該当する前記第一の変換ポリシを読み出し、読み出された前記第一の変換ポリシを前記ゲートウェイ装置の前記第一の制御部へ通知するステップと、前記ゲートウェイ装置の前記第一の制御部が、通知された前記第一の変換ポリシに基づいて前記呼制御信号の前記複数のフィールドに設定されたデータを変換するステップと、を含む構成であってもよい。
【００１８】
かかる構成によると、ポリシ管理装置が第一の変換ポリシを一括管理するので、着信網における表示名変換の負担を抑制することができ、全体として、データベースの設置及び管理コストを削減することができる。
【００１９】
前記表示名変換システムは、前記着信網に設けられ、前記ゲートウェイ装置から送信された前記呼制御信号を受信し、受信した前記呼制御信号を前記着側端末装置へ送信するサーバ装置を備えており、前記サーバ装置は、前記呼制御信号によって指定された前記着側端末装置と、前記呼制御信号に含まれる複数のフィールドに設定されたデータを変換するための第二の変換ポリシと、が関連付けられた第二のデータベースが記憶された第二の記憶部と、第三の制御部と、を備えており、前記第二の変換ポリシは、前記複数のフィールドのうち、前記着信網において表示名として用いられる前記フィールドに設定されているデータを、前記着側端末装置において表示名として用いられる前記フィールドに設定するように定められており、前記第三の制御部が、受信した前記呼制御信号に対応する前記着側端末装置に基づいて前記第二の変換ポリシを参照することによって、受信した前記呼制御信号に該当する前記第二の変換ポリシを読み出すとともに、読み出された前記第一の変換ポリシに基づいて前記呼制御信号の前記複数のフィールドに設定されたデータを変換するステップと、前記第三の制御部が、データが変換された前記呼制御信号を前記着信端末へ送信するステップと、を含む構成であってもよい。
【００２０】
かかる構成によると、着信網のサーバ装置が第二の変換ポリシに基づいて呼制御信号のフィールドに設定されたデータを変換するので、着側端末装置ごとに表示名の規則が異なる場合であっても、発側端末装置及び発信網が希望する表示名を好適に表示させることができる。
【発明の効果】
【００２１】
本発明によると、着側端末装置において、呼制御信号に設定されたデータから表示名を好適に表示することができる。
【図面の簡単な説明】
【００２２】
【図１】本発明の実施形態に係る表示名変換システムを示す模式図である。
【図２】本発明の実施形態に係る表示名変換システムを示すブロック図である。
【図３】呼制御信号のFromヘッダ及びPAIヘッダの一例を示す図である。
【図４】変換ポリシデータベースの一例を示す図である。
【図５】変換ポリシデータベースの一例を示す図である。
【発明を実施するための形態】
【００２３】
本発明の実施形態について、図面を参照して詳細に説明する。説明において、同一の要素には同一の符号を付し、重複する説明は省略する。
【００２４】
＜表示名変換システム＞
図１に示すように、本発明の実施形態に係る表示名変換システム１は、IP（Internet Protocol）電話である端末装置１０間のセッションを確立する際に、発側端末装置１０（１０Ａ）から送信されたSIP（Session Internet Protocol）信号の一種である呼制御信号において設定された表示名を、着側端末装置１０（１０Ｂ，１０Ｃ）において表示させるためのシステムである。
【００２５】
発側端末装置１０Ａは、ネットワーク（発信網）２Ａに接続されており、着側端末１０Ｂ，１０Ｃは、それぞれネットワーク（着信網）２Ｂ，２Ｃに接続されている。また、発信網２Ａ及び着信網２Ｂ，２Ｃは、ネットワーク（中継網）３を介して互いに接続されている。
【００２６】
現状の通信網では、事業者の内部（例えば、発信網及び着信網）はSIPを用いたIP網によって構成されているが、事業者間の電話網（例えば、中継網）は、PSTN（Public Switched Telephone Network）によって構成されている。これに対し、本発明では、発信網２Ａ、着信網２Ｂ，２Ｃ及び中継網３は、全てSIPを用いたIP網によって構成されている。
【００２７】
表示名変換システム１は、各ネットワーク２（２Ａ，２Ｂ，２Ｃ）に配置されたサーバ装置２０（２０Ａ〜２０Ｃ）と、各ネットワーク２を互いに接続するネットワーク（中継網）３に配置されたゲートウェイ装置３０と、ポリシ管理装置４０と、を備える。
【００２８】
＜端末装置＞
端末装置１０（１０Ａ〜１０Ｃ）は、いわゆるIP電話であり、SIP信号を用いた通信によってIP音声通話を実現する。図２に示すように、端末装置１０は、音声入力部（マイク）１１と、音声出力部（スピーカ）１２と、操作部（ボタン）１３と、表示部（モニタ）１４と、記憶部１５と、制御部１６と、を備える。
【００２９】
発側端末装置１０Ａの制御部１６は、利用者による操作部１３の操作に基づいて、呼制御信号を生成し、生成された呼制御信号を着側端末装置１０Ｂ，１０Ｃへ送信する。呼制御信号は、発側端末装置１０Ａに固有のＩＤ（発側端末装置ＩＤ）と、着側端末装置１０Ｂ，１０Ｃに固有のＩＤ（着側端末装置ＩＤ）と、を含む信号である。発側端末装置１０Ａによって生成された呼制御信号は、発信網２Ａのサーバ装置２０Ａ、中継網３のゲートウェイ装置３０及び着信網２Ｂ，２Ｃのサーバ装置２０Ｂ，２０Ｃを介して、着側端末装置１０Ｂ，１０Ｃへ送信される。また、着側端末装置１０Ｂ，１０Ｃの制御部１６は、発側端末装置１０Ａによって送信された呼制御信号を受信し、呼制御信号に設定された表示名を表示部１４に表示させる。
【００３０】
図３に示すように、呼制御信号は、表示名が設定可能なフィールドとして、２つのヘッダ、すなわち、Fromヘッダと、PAI（P-Asserted-Identity）ヘッダと、を備える。Fromヘッダは、SIP URI（Universal Resource Identifier）又はtel URIが設定されるフィールドであり、display-nameフールドと、addr-specフィールドと、を含む。PAIヘッダは、SIP URI及びtel URIの少なくとも一方が設定されるフィールドであり、URIごとに、display-nameフールドと、addr-specフィールドと、を含む。すなわち、呼制御信号は、６箇所のフィールドに表示名が設定可能である。
【００３１】
呼制御信号の一例を以下に示す。
From: "0311111111"<sip:+81311111111@example.ne.jp;user=phone>;tag=xxxx
P-Asserted-Identity: "012012345678"<tel:+81311111111>
P-Asserted-Identity: "012012345678"sip:+81311111111@example.ne.jp;user=phone
【００３２】
この例において、Fromヘッダは、SIP URIが設定されるフィールドであって、””に囲まれたフィールドにはdisplay-nameが設定されており、<>に囲まれたフィールドにはSIP URIのaddr-specが設定されている。また、１番目のPAIヘッダは、tel URIが設定されるフィールドであって、””に囲まれたフィールドにはdisplay-nameが設定されており、<>に囲まれたフィールドにはtel URIのaddr-specが設定されている。また、２番目のPAIヘッダは、SIP URIが設定されるフィールドであって、””に囲まれたフィールドにはdisplay-nameが設定されており、<>に囲まれたフィールドにはSIP URIのaddr-specが設定されている。
【００３３】
発側端末装置１０Ａが会社等に設置されている場合には、発側端末装置１０Ａに固有の電話番号（回線番号）ではなく、会社等に設置された複数の発側端末装置１０Ａに対して無料で呼び返し可能な代表番号を着側端末装置１０Ｂ，１０Ｃにおいて表示させたい場合がある。ここで、日本では、PAIヘッダのtel URIのdisplay-nameフィールドに代表番号が設定され、PAIヘッダのtel URIのaddr-specフィールドに発側端末装置１０Ａの実際の回線番号が設定されるように、呼制御信号の生成ルールが規定されている。
【００３４】
これに対し、国際標準では、呼制御信号のFromヘッダ及びPAIヘッダに設定されたデータのうち、どれを発側端末装置１０ＡのIDとして表示するかは、着信端末装置１０Ｂ，１０Ｃの実装に依存すると規定されている。そのため、外国では、例えばPAIヘッダのtel URIのdisplay-nameフィールドに発側端末装置１０Ａの実際の回線番号が設定され、Fromヘッダのdisplay-nameフィールドに代表番号が設定される場合がある。
【００３５】
このような場合おいて、日本の発側端末装置１０Ａが生成した呼制御信号を外国の着側端末装置１０Ｃが受信すると、着側端末装置１０Ｃの制御部１６は、PAIヘッダのtel URIのdisplay-nameフィールドに設定された代表番号ではなく、Fromヘッダのdisplay-nameフィールドに設定された番号を表示部１４に表示させることとなる。本発明の実施形態に係る表示名変換システム１は、このような不具合を解消し、着側端末装置１０Ｂ，１０Ｃにおいて好適な表示名（発側端末装置１０Ａが着側端末装置１０Ｂ，１０Ｃに表示させたい表示名）を表示させるためのシステムである。
【００３６】
なお、呼制御信号において、Fromヘッダのデータに関しては、発側端末装置１０Ａの制御部１６が、利用者による操作部１３ｂの操作に基づいて設定する。また、PAIヘッダのデータに関しては、発信網２Ａのサーバ装置２０Ａの制御部２２が、呼制御信号に含まれるデータと記憶部２１に記憶されたデータベース等とに基づいて設定する。
【００３７】
＜サーバ装置＞
図１に示すように、サーバ装置２０（２０Ａ〜２０Ｃ）は、対応するネットワーク２（発信網２Ａ及び着信網２Ｂ，２Ｃ）に設けられており、呼制御信号に応じて発側端末装置１０Ａと着側端末装置１０Ｂ，１０Ｃとのセッションを確立するための各種制御を行うアプリケーションサーバである。図２に示すように、サーバ装置２０は、記憶部２１と、制御部２２と、を備える。制御部２２は、上流側の装置によって送信された呼制御信号を受信すると、受信した呼制御信号を下流側の装置へ転送する。
【００３８】
＜ゲートウェイ装置＞
図１に示すように、ゲートウェイ装置３０は、中継網３に設けられており、発信網２Ａからの呼制御信号を、表示名を変換して着信網２Ｂ，２Ｃへ送信する装置である。図２に示すように、ゲートウェイ装置３０は、記憶部３１と、制御部（第一の制御部）３２と、を備える。制御部３２は、受信した呼制御信号の発信網２Ａ及び着信網２Ｂ，２Ｃに基づいて後記する変換ポリシデータベース４１ｂを参照することによって、受信した呼制御信号に該当する変換ポリシを読み出すとともに、読み出された変換ポリシに基づいて呼制御信号の複数のフィールドに設定されたデータを変換し、データが変換された呼制御信号を着信網２Ｂ，２Ｃへ送信する。
【００３９】
本実施形態では、変換ポリシデータベース４１ｂがゲートウェイ装置３０とは別体のポリシ管理装置４０に設けられているので、制御部３２は、受信した呼制御信号の発信網２Ａ及び着信網２Ｂ，２Ｃをポリシ管理装置４０へ通知するとともに、その後、ポリシ管理装置４０から通知された変換ポリシに基づいて呼制御信号の複数のフィールドに設定されたデータを変換し、データが変換された呼制御信号を着信網２Ｂ，２Ｃへ送信する。
【００４０】
＜ポリシ管理装置＞
図１に示すように、ポリシ管理装置４０は、ゲートウェイ装置３０に接続されており、発信網２Ａ側において呼制御信号に設定された表示名が着信網２Ｂ，２Ｃ側において表示されるように呼制御信号のフィールドを変換するための変換ポリシを管理するサーバである。図２に示すように、ポリシ管理装置４０は、記憶部（第一の記憶部）４１と、制御部（第二の制御部）４２と、を備える。
【００４１】
記憶部４１には、表示名設定情報データベース４１ａと、変換ポリシデータベース（第一のデータベース）４１ｂと、が記憶されている。表示名設定情報データベース４１ａは、発信網２Ａ及び着信網２Ｂ，２Ｃとなり得るネットワーク２と、当該ネットワーク２においてどのフィールドに設定されたデータが表示名として用いられるかと、を関連付けたデータベースである。
【００４２】
図３に示すように、変換ポリシデータベース４１ｂは、発信網２Ａと、着信網２Ｂ，２Ｃと、変換ポリシ（第一の変換ポリシ）と、を関連付けたデータベースである。変換ポリシ（第一の変換ポリシ）は、複数のフィールドのうち、発信網２Ａにおいて表示名として用いられるフィールドに設定されているデータを、着信網２Ｂ，２Ｃにおいて表示名として用いられるフィールドに設定するように定められている。
【００４３】
図２に示すように、制御部４２は、利用者による操作部（図示せず）の操作に基づいて表示名設定情報データベース４１ａのデータを管理（更新、修正、削除）するとともに、表示名設定情報データベース４１ａに基づいて変換ポリシデータベース４１ｂを生成する。また、制御部４２は、ゲートウェイ装置３０から通知された発信網２Ａ及び着信網２Ｂ，２Ｃに基づいて変換ポリシデータベース４１ｂを参照することによって、通知された発信網２Ａ及び着信網２Ｂ，２Ｃに該当する変換ポリシを読み出し、読み出された変換ポリシをゲートウェイ装置３０へ通知する。
【００４４】
＜第一の動作例＞
本発明の実施形態に係る表示名変換システム１の第一の動作例について、図１、図２及び図４を参照して説明する。第一の動作例は、ある国の発信網２Ａに接続された発側端末装置１０Ａが、別の国の着信網２Ｂ，２Ｃに接続された着側端末装置１０Ｂ，１０Ｃへ呼制御信号を送信する例である。着側端末装置１０Ｂ，１０Ｃには、接続された着信網２Ｂ，２Ｃに応じて、６箇所のフィールドに設定されたデータのどれを表示名として選択して表示部１４に表示させるかという規則が予め設定されている。本動作例において、発信網２Ａでは、呼制御信号の表示名は、Fromヘッダのdisplay-nameフィールドに設定される。また、着信網２Ｂでは、Fromヘッダのdisplay-nameフィールドに設定されたデータが、呼制御信号の表示名として用いられる。また、着信網２Ｃでは、1番目のPAIデータのdisplay-nameフィールドに設定されたデータが、呼制御信号の表示名として用いられる。
【００４５】
まず、利用者が発側端末装置１０Ａの操作部１３を操作すると、発側端末装置１０Ａの制御部１６は、呼制御信号を生成し、生成された呼制御信号を発信網２Ａへ向けて送信する。かかる呼制御信号において、Fromヘッダには、操作部１３の操作に応じたデータが設定されている。
【００４６】
発信網２Ａに設けられたサーバ装置２０Ａの制御部２２は、発側端末装置１０Ａによって送信された呼制御信号を受信すると、受信した呼制御信号のPAIヘッダにデータを設定し、PAIヘッダにデータが設定された呼制御信号を中継網３へ向けて送信する。
【００４７】
中継網３に設けられたゲートウェイ装置３０の制御部３２は、サーバ装置２０Ａによって送信された呼制御信号を受信すると、受信した呼制御信号に含まれる発側端末装置ＩＤ及び着側端末装置ＩＤの国番号に基づいて、発信網２Ａ及び着信網２Ｂ，２Ｃを識別し、識別結果をポリシ管理装置４０へ送信する。
【００４８】
ポリシ管理装置４０の制御部４２は、ゲートウェイ装置３０によって送信された識別結果（発信網２Ａ及び着信網２Ｂ，２Ｃ）を受信すると、受信した識別結果に基づいて変換ポリシデータベース４１ｂを参照することによって、識別結果に該当する変換ポリシを読み出し、読み出された変換ポリシをゲートウェイ装置３０へ送信する。
【００４９】
ゲートウェイ装置３０の制御部３２は、ポリシ管理装置４０によって送信された変換ポリシを受信すると、受信した変換ポリシに基づいて、呼制御信号のFromヘッダ及びPAIヘッダに設定されたデータを変換し、ヘッダのデータが変換された呼制御信号（表示名変換済み）を、対応する着信網２Ｂ，２Ｃへ送信する。
【００５０】
例えば、呼制御信号が発信網２Ａから着信網２Ｂへ送信されるものである場合には、制御部３２は、Fromヘッダ及びPAIヘッダの両方に関して、変換しない（透過）。また、呼制御信号が発信網２Ａから着信網２Ｃへ送信されるものである場合には、制御部３２は、Fromヘッダに関しては、変換せず（透過）、1番目のPAIヘッダに関しては、Fromヘッダに設定されているデータで上書きする。すなわち、呼制御信号のFromヘッダのdisplay-nameに設定されているデータが、1番目のPAIヘッダのdisplay-nameに設定される。
【００５１】
着信網２Ｂ，２Ｃに設けられたサーバ装置２０Ｂ，２０Ｃの制御部２２は、ゲートウェイ装置３０によって送信された呼制御信号（表示名変換済み）を受信すると、受信した呼制御信号を該当する着側端末装置１０Ｂ，１０Ｃへ送信する。
【００５２】
着側端末装置１０Ｂ，１０Ｃの制御部１６は、サーバ装置２０Ｂ，２０Ｃによって送信された呼制御信号（表示名変換済み）を受信すると、呼制御信号（表示名変換済み）のヘッダを参照して表示名を読み出し、読み出された表示名を表示部１４に表示させる。ここで、着信網２Ｂに接続された着側端末装置１０Ｂは、Fromヘッダのdisplay-nameフィールドに設定されているデータを表示する。また、着信網２Ｃに接続された着側端末装置１０Ｃは、１番目のPAIヘッダのdisplay-nameに設定されているデータを表示する。
【００５３】
本動作例によると、発信網２Ａにおいて表示名として用いられるデータを着信網２Ｂ，２Ｃにおいて表示名として用いられるフィールドに設定するので、着側端末装置１０Ｂ，１０Ｃにおいて表示名を好適に表示することができる。
【００５４】
＜第二の動作例＞
本発明の実施形態に係る表示名変換システム１の第二の動作例について、第一の動作例との相違点を中心に、図１、図２及び図５を参照して説明する。第二の動作例は、ある国の発信網２Ａに接続された発側端末装置１０Ａが、別の国の着信網２Ｃに接続された着側端末装置１０Ｃへ呼制御信号を送信する例であり、着信網２Ｃに設けられたサーバ装置２０Ｃが、着側端末装置１０Ｃごとに表示名を変換する例である。着側端末装置１０Ｃには、当該着側端末装置１０Ｃが契約している着信事業者に応じて、６箇所のフィールドに設定されたデータのどれを表示名として選択して表示部１４に表示させるかという規則が予め設定されている。
【００５５】
本動作例において、サーバ装置２０Ｃの記憶部（第二の記憶部）２１には、変換ポリシデータベース（第二のデータベース）２１ａが記憶されている。変換ポリシデータベース２１ａは、図５に示すように、呼制御信号によって指定された着側端末装置１０Ｃ（本動作例では、着側端末装置１０Ｃの着信事業者）と、呼制御信号に含まれる複数のフィールドに設定されたデータを変換するための変換ポリシ（第二の変換ポリシ）と、が関連付けられたデータベースである。変換ポリシ（第二の変換ポリシ）は、複数のフィールドのうち、着信網２Ｃにおいて表示名として用いられるフィールドに設定されているデータを、着側端末装置１０Ｃにおいて表示名として用いられるフィールドに設定するように定められている。また、記憶部２１には、着側端末装置ＩＤと着信事業者とが関連付けられた着信事業者データベース（図示せず）が記憶されている。
【００５６】
図２に示すように、本動作例において、着信網２Ｃに設けられたサーバ装置２０Ｃの制御部（第三の制御部）２２は、ゲートウェイ装置３０によって送信された呼制御信号（表示名変換済み）を受信すると、受信した呼制御信号に含まれる着側端末装置ＩＤに基づいて着信事業者を参照することによって、着側端末装置ＩＤに該当する着信事業者を読み出す。続いて、制御部２２は、読み出された着信事業者に基づいて変換ポリシデータベース２１ａを参照することによって、着信事業者に該当する変換ポリシを読み出し、読み出された変換ポリシに基づいて、呼制御信号のFromヘッダ及びPAIヘッダに設定されたデータを変換し、ヘッダのデータが変換された呼制御信号（表示名再変換済み）を、対応する着側端末装置１０Ｃへ送信する。
【００５７】
例えば、着側端末装置１０Ｃが着信事業者Ａ社と契約している場合には、制御部３２は、Fromヘッダ及びPAIヘッダの両方に関して、変換しない（透過）。また、着側端末装置１０Ｃが着信事業者Ｂ社と契約している場合には、制御部３２は、Fromヘッダに関しては、変換せず（透過）、1番目のPAIヘッダに関しては、addr-specフィールドをdisplay-nameに設定されているデータで上書きする。
【００５８】
本動作例によると、着信網２Ｃにおいて表示名として用いられるデータを着側端末装置１０Ｃ（本動作例では、着信事業者）において表示名として用いられるフィールドに設定するので、着側端末装置１０Ｃにおいて表示名を好適に表示することができる。
【００５９】
本発明の実施形態に係る表示名変換システム１は、呼制御信号のフィールドに設定されたデータを発信網２Ａ及び着信網２Ｂ，２Ｃに応じて変換し、発信網２Ａにおいて表示名として用いられるフィールドに設定されたデータを着信網２Ｂ，２Ｃにおいて表示名として用いられるフィールドに設定するので、着側端末装置１０Ｂ，１０Ｃにおいて発側端末装置１０Ａ及び発信網２Ａが希望する表示名を好適に選択して表示させることができる。
また、表示名変換システム１は、呼制御信号のネットワークを全てIP網化することができる。
また、表示名変換システム１は、ポリシ管理装置４０が変換ポリシ（第一の変換ポリシ）を一括管理するので、着信網２Ｂ，２Ｃにおける表示名変換の負担を抑制することができ、全体として、データベースの設置及び管理コストを削減することができる。
また、表示名変換システム１は、着信網２Ｃのサーバ装置２０Ｃが変換ポリシ（第二の変換ポリシ）に基づいて呼制御信号のフィールドに設定されたデータを変換するので、着側端末装置１０Ｃごとに表示名の規則が異なる場合であっても、発側端末装置１０Ａ及び発信網２Ａが希望する表示名を好適に選択して表示させることができる。
【００６０】
以上、本発明の実施形態について説明したが、本発明は前記実施形態に限定されず、本発明の要旨を逸脱しない範囲で適宜変更可能である。例えば、表示名変換システム１は、ポリシ管理装置４０を省略し、ゲートウェイ装置３０の記憶部３１に変換ポリシデータベース４１ｂが記憶されている構成であってもよい。また、着側端末装置１０Ｂ，１０Ｃの記憶部１５には、呼制御信号に含まれて表示名として用いられるデータと当該端末装置における実際の表示名とが関連付けられたデータベースが記憶されており、着側端末装置１０Ｂ，１０Ｃが、かかるデータベースを参照して実際の表示名を表示部１４に表示させる構成であってもよい。
【符号の説明】
【００６１】
１      表示名変換システム
２Ａ    発信網
２Ｂ，２Ｃ  着信網
３      中継網
１０Ａ  発側端末装置
１０Ｂ，１０Ｃ  着側端末装置
２０Ｃ  サーバ装置
２１    記憶部（第二の記憶部）
２１ａ  変換ポリシデータベース（第二のデータベース）
２２    制御部（第三の制御部）
３０    ゲートウェイ装置
３２    制御部（第一の制御部）
４０    ポリシ管理装置
４１    記憶部（第一の記憶部）
４１ｂ  変換ポリシデータベース（第一のデータベース）
４２    制御部（第二の制御部）
【図１】
2016152496.tif 000003
【図２】
2016152496.tif 000004
【図３】
2016152496.tif 000005
【図４】
2016152496.tif 000006
【図５】
2016152496.tif 000007